(57)【要約】【課題】カメラ部で撮影された人物のプライバシーを保護することが可能な携帯端末装置を提供することである。【解決手段】本発明にかかる携帯端末装置は、カメラ部５と、カメラ部５で撮影された撮影画像データ８に画像処理を施して処理済み画像データ２３を生成する演算部１０と、撮影画像データ２１および処理済み画像データ２３を格納するメモリ２０と、を備える。演算部１０は、撮影画像データ８に含まれている顔を検出し、検出された顔が特定の人物の顔情報である識別情報２２に含まれているか否かを判定し、検出された顔が識別情報２２に含まれていない場合、撮影画像データ８に含まれている検出された顔に、個人の特定を困難とする画像処理を施して処理済み画像データ２３を生成する。【選択図】図１
2014082695.tif 000002
【特許請求の範囲】
【請求項１】
カメラ部と、
前記カメラ部で撮影された第１の画像データに画像処理を施して第２の画像データを生成する演算部と、
前記第１および第２の画像データを格納するメモリと、を備え、
前記演算部は、
前記第１の画像データに含まれている顔を検出し、
前記検出された顔が特定の人物の顔情報である識別情報に含まれているか否かを判定し、
前記検出された顔が前記識別情報に含まれていない場合、前記第１の画像データに含まれている前記検出された顔に個人の特定を困難とする画像処理を施して前記第２の画像データを生成する、
携帯端末装置。
【請求項２】
前記演算部は、前記第１の画像データに顔が含まれている場合、前記第１の画像データにアクセス制限を設定する、請求項１に記載の携帯端末装置。
【請求項３】
前記演算部は、前記第１の画像データを前記携帯端末装置の外部で使用することを不可とすることで前記第１の画像データにアクセス制限を設定する、請求項２に記載の携帯端末装置。
【請求項４】
前記第１の画像データは前記携帯端末装置が備える表示部においてのみ表示可能である、請求項３に記載の携帯端末装置。
【請求項５】
前記画像処理は前記検出された顔の領域をマスクする処理である、請求項１乃至４のいずれか一項に記載の携帯端末装置。
【請求項６】
前記画像処理は前記検出された顔の領域を含まないようにトリミングを行う処理である、請求項１乃至４のいずれか一項に記載の携帯端末装置。
【請求項７】
前記第１の画像データに顔が含まれていない場合、前記演算部は前記第１の画像データにアクセス制限を設定しない、請求項１乃至６のいずれか一項に記載の携帯端末装置。
【請求項８】
前記識別情報は予め前記メモリに格納されている、請求項１乃至７のいずれか一項に記載の携帯端末装置。
【請求項９】
前記携帯端末装置は前記識別情報を他の携帯端末装置から取得する、請求項１乃至８のいずれか一項に記載の携帯端末装置。
【請求項１０】
前記他の携帯端末装置から取得した識別情報は、所定の期間が経過した後に無効となるように設定されている、請求項９に記載の携帯端末装置。
【請求項１１】
第１の携帯端末装置と第２の携帯端末装置とを備える携帯端末システムであって、
前記第１の携帯端末装置は、
カメラ部と、
前記カメラ部で撮影された第１の画像データに画像処理を施して第２の画像データを生成する演算部と、
前記第１および第２の画像データを格納する第１のメモリと、を備え、
前記第２の携帯端末装置は特定の人物の顔情報である識別情報を格納する第２のメモリを少なくとも備え、
前記第１の携帯端末装置は前記第２の携帯端末装置に対して前記識別情報の提供を要求し、前記第２の携帯端末装置が前記識別情報の提供を許可した場合、前記第１の携帯端末装置は前記第２の携帯端末装置から前記識別情報を取得し、
前記演算部は、
前記第１の画像データに含まれている顔を検出し、
前記検出された顔が前記識別情報に含まれているか否かを判定し、
前記検出された顔が前記識別情報に含まれていない場合、前記第１の画像データに含まれている前記検出された顔に個人の特定を困難とする画像処理を施して第２の画像データを生成する、
携帯端末システム。
【請求項１２】
前記演算部は、前記第１の画像データに顔が含まれている場合、前記第１の画像データにアクセス制限を設定する、請求項１１に記載の携帯端末システム。
【請求項１３】
前記演算部は、前記第１の画像データを前記第１の携帯端末装置の外部で使用することを不可とすることで前記第１の画像データにアクセス制限を設定する、請求項１２に記載の携帯端末システム。
【請求項１４】
前記画像処理は前記検出された顔の領域をマスクする処理である、請求項１１乃至１３のいずれか一項に記載の携帯端末システム。
【請求項１５】
前記画像処理は前記検出された顔の領域を含まないようにトリミングを行う処理である、請求項１１乃至１３のいずれか一項に記載の携帯端末システム。
【請求項１６】
カメラ部で撮影された第１の画像データに含まれている顔を検出し、
前記検出された顔が特定の人物の顔情報である識別情報に含まれているか否かを判定し、
前記検出された顔が前記識別情報に含まれていない場合、前記第１の画像データに含まれている前記検出された顔に個人の特定を困難とする画像処理を施して第２の画像データを生成する、
携帯端末装置の制御方法。
【請求項１７】
前記第１の画像データに顔が含まれている場合、前記第１の画像データにアクセス制限を設定する、請求項１６に記載の携帯端末装置の制御方法。
【請求項１８】
前記第１の画像データを前記携帯端末装置の外部で使用することを不可とすることで前記第１の画像データにアクセス制限を設定する、請求項１７に記載の携帯端末装置の制御方法。
【請求項１９】
カメラ部で撮影された第１の画像データに含まれている顔を検出し、
前記検出された顔が特定の人物の顔情報である識別情報に含まれているか否かを判定し、
前記検出された顔が前記識別情報に含まれていない場合、前記第１の画像データに含まれている前記検出された顔に個人の特定を困難とする画像処理を施して第２の画像データを生成する、処理を携帯端末装置に実行させるためのプログラム。
【発明の詳細な説明】
【技術分野】
【０００１】
本発明は携帯端末装置、携帯端末システム、携帯端末装置の制御方法、及びプログラムに関し、特にカメラ機能を備えた携帯端末装置、携帯端末システム、携帯端末装置の制御方法、及びプログラムに関する。
【背景技術】
【０００２】
近年、カメラ機能を備えた携帯端末装置が広く普及している。例えば、ユーザは携帯端末装置で撮影した画像を他人と手軽に共有することができるようになった。一方、ユーザが撮影した画像には意図しない人物が写っている場合がある。このような場合、例えばユーザが撮影した画像をウェブ等にアップロードすると、意図しない人物のプライバシーの問題が発生するおそれがある。
【０００３】
特許文献１には、撮影した画像に対して手間が掛からずに画像処理ができる電子カメラに関する技術が開示されている。特許文献２には、特定人物以外の者のプライバシーを保護するとともに、特定人物の顔以外の情報や、特定人物の周囲の状況を容易に確認できる顔照合装置に関する技術が開示されている。特許文献３には、画像データの共有に際し、利用者に対して発生するプライバシー問題を低減することが可能な情報処理装置に関する技術が開示されている。
【先行技術文献】
【特許文献】
【０００４】
【特許文献１】特開２０１０−２１９２１号公報
【特許文献２】特開２００４−６２５６０号公報
【特許文献３】特開２０１２−１８５５７号公報
【発明の概要】
【発明が解決しようとする課題】
【０００５】
背景技術で説明したように、携帯端末装置を所持するユーザがカメラ部で写真を撮影した場合、撮影した画像に意図しない人物が写っている場合がある。このような場合、例えばユーザが、撮影した画像をウェブ等にアップロードすると、意図しない人物のプライバシーの問題が発生するおそれがあった。
【０００６】
上記課題に鑑み本発明の目的は、カメラ部で撮影された人物のプライバシーを保護することが可能な携帯端末装置、携帯端末システム、携帯端末装置の制御方法、及びプログラムを提供することである。
【課題を解決するための手段】
【０００７】
本発明にかかる携帯端末装置は、カメラ部と、前記カメラ部で撮影された第１の画像データに画像処理を施して第２の画像データを生成する演算部と、前記第１および第２の画像データを格納するメモリと、を備える。前記演算部は、前記第１の画像データに含まれている顔を検出し、前記検出された顔が特定の人物の顔情報である識別情報に含まれているか否かを判定し、前記検出された顔が前記識別情報に含まれていない場合、前記第１の画像データに含まれている前記検出された顔に個人の特定を困難とする画像処理を施して前記第２の画像データを生成する。
【０００８】
本発明にかかる携帯端末システムは、第１の携帯端末装置と第２の携帯端末装置とを備える。前記第１の携帯端末装置は、カメラ部と、前記カメラ部で撮影された第１の画像データに画像処理を施して第２の画像データを生成する演算部と、前記第１および第２の画像データを格納する第１のメモリと、を備え、前記第２の携帯端末装置は特定の人物の顔情報である識別情報を格納する第２のメモリを少なくとも備える。そして、前記第１の携帯端末装置は前記第２の携帯端末装置に対して前記識別情報の提供を要求し、前記第２の携帯端末装置が前記識別情報の提供を許可した場合、前記第１の携帯端末装置は前記第２の携帯端末装置から前記識別情報を取得する。前記演算部は、前記第１の画像データに含まれている顔を検出し、前記検出された顔が前記識別情報に含まれているか否かを判定し、前記検出された顔が前記識別情報に含まれていない場合、前記第１の画像データに含まれている前記検出された顔に個人の特定を困難とする画像処理を施して第２の画像データを生成する。
【０００９】
本発明にかかる携帯端末装置の制御方法は、カメラ部で撮影された第１の画像データに含まれている顔を検出し、前記検出された顔が特定の人物の顔情報である識別情報に含まれているか否かを判定し、前記検出された顔が前記識別情報に含まれていない場合、前記第１の画像データに含まれている前記検出された顔に個人の特定を困難とする画像処理を施して第２の画像データを生成する。
【００１０】
本発明にかかるプログラムは、カメラ部で撮影された第１の画像データに含まれている顔を検出し、前記検出された顔が特定の人物の顔情報である識別情報に含まれているか否かを判定し、前記検出された顔が前記識別情報に含まれていない場合、前記第１の画像データに含まれている前記検出された顔に個人の特定を困難とする画像処理を施して第２の画像データを生成する、処理を携帯端末装置に実行させるためのプログラムである。
【発明の効果】
【００１１】
本発明により、カメラ部で撮影された人物のプライバシーを保護することが可能な携帯端末装置、携帯端末システム、携帯端末装置の制御方法、及びプログラムを提供することができる。
【図面の簡単な説明】
【００１２】
【図１】実施の形態１にかかる携帯端末装置を示すブロック図である。
【図２】実施の形態１にかかる携帯端末装置の動作を説明するためのフローチャートである。
【図３】実施の形態１にかかる携帯端末装置の動作を説明するためのフローチャートである。
【図４】実施の形態１にかかる携帯端末装置で撮影した撮影画像データの一例を示す図である。
【図５】実施の形態１にかかる携帯端末装置で処理した処理済み画像データの一例を示す図である。
【図６】実施の形態１にかかる携帯端末装置で処理した処理済み画像データの他の例を示す図である。
【図７】実施の形態２にかかる携帯端末システムを示すブロック図である。
【図８】実施の形態２にかかる携帯端末システムの動作を説明するためのフローチャートである。
【図９】実施の形態２にかかる携帯端末システムで処理した処理済み画像データの一例を示す図である。
【図１０】実施の形態２にかかる携帯端末システムで処理した処理済み画像データの他の例を示す図である。
【図１１】識別情報の一例を示す図である。
【発明を実施するための形態】
【００１３】
＜実施の形態１＞
以下、図面を参照して本発明の実施の形態について説明する。
図１は、実施の形態１にかかる携帯端末装置１を示すブロック図である。本実施の形態にかかる携帯端末装置１は、カメラ部５、通信部６、演算部１０、およびメモリ２０を備える。演算部１０は、顔検出部１１、顔判定部１２、および画像処理部１３を備える。メモリ２０は、撮影画像データ２１、識別情報２２、および処理済み画像データ２３を格納する。
【００１４】
本実施の形態にかかる携帯端末装置１は、カメラ機能を備えた携帯端末装置であればどのような携帯端末装置であってもよい。本実施の形態にかかる携帯端末装置１は、例えば、スマートフォン、タブレット型の携帯端末装置、携帯電話、ゲーム機、電子書籍端末などである。また、本実施の形態にかかる携帯端末装置１はデジタルカメラであってもよい。
【００１５】
カメラ部５は、撮影対象となる被写体を撮影し、撮影された被写体の撮影画像データ（第１の画像データ）を生成し、生成された撮影画像データ８を演算部１０に出力する。カメラ部５は静止画や動画を撮影可能であり、生成される撮影画像データ８は静止画であってもよく、また動画であってもよい。
【００１６】
演算部１０は、カメラ部５で撮影された撮影画像データ８に画像処理を施す。具体的には、演算部１０は、撮影画像データ８に含まれている顔を検出し、検出された顔が特定の人物の顔情報である識別情報に含まれているか否かを判定する。そして、検出された顔が識別情報に含まれていない場合、撮影画像データ８に含まれている検出された顔に、個人の特定を困難とする画像処理を施して処理済み画像データ（第２の画像データ）を生成する。演算部１０について以下で詳細に説明する。
【００１７】
図１に示すように、演算部１０は、顔検出部１１、顔判定部１２、および画像処理部１３を備える。顔検出部１１は、カメラ部５で撮影された撮影画像データ８に含まれている顔を検出する。例えば、顔検出部１１は、撮影画像データ８に、人間の顔の特徴部分（目、鼻、口等）が含まれているか否かを判定することで顔を検出することができる。なお、顔検出の方法はこれ以外の任意の方法を用いてもよい。特に本実施の形態では、顔検出部１１は、個人を特定できる程度の顔情報が撮影画像データ８に含まれているか否かを判定することができる。
【００１８】
顔検出部１１は、撮影画像データ８に顔が含まれていない場合、つまり、個人を特定できる程度の顔情報が撮影画像データ８に含まれていない場合、撮影画像データ８にアクセス制限を設定することなく、撮影画像データ８をメモリ２０に格納する。つまりこの場合は、メモリ２０に格納されている撮影画像データ２１には個人を特定できる程度の顔情報が含まれていないので、プライバシーの問題は生じない。よって、携帯端末装置１のユーザは撮影画像データ２１を制限なく利用することができる。例えば、ユーザは撮影画像データ２１を通信部６を介して他の携帯端末装置に送信したり、携帯端末装置１に設けられている外部インタフェース（不図示）を介して他の電子機器に撮影画像データ２１を移動したり印刷したりすることができる。
【００１９】
一方、顔検出部１１は、撮影画像データ８に顔が含まれている場合、つまり、個人を特定できる程度の顔情報が撮影画像データ８に含まれている場合、撮影画像データ８にアクセス制限を設定して、撮影画像データ８をメモリ２０に格納する。つまりこの場合は、メモリ２０に格納されている撮影画像データ２１には個人を特定できる程度の顔情報が含まれているので、プライバシーの問題が生じる。よって、撮影画像データ２１に写っている個人のプライバシーを保護するために、撮影画像データ２１には所定のアクセス制限を設ける必要がある。
【００２０】
例えば、演算部１０は、撮影画像データ２１を携帯端末装置１の外部で使用することを不可とすることでアクセス制限を設定することができる。つまり、ユーザが撮影画像データ２１を通信部６を介して他の携帯端末装置に送信したり、携帯端末装置１に設けられている外部インタフェース（不図示）を介して他の電子機器に撮影画像データ２１を移動したり印刷したりすることを禁止することができる。また、アクセス制限の一例として、携帯端末装置１が備える表示部（不図示）においてのみ、撮影画像データ２１を表示することができるように構成してもよい。
【００２１】
顔判定部１２は、顔検出部１１が撮影画像データ８に顔が含まれていると判定した場合、顔検出部１１において検出された顔が特定の人物の顔であるか否かを判定する。つまり顔判定部１２は、顔が含まれている撮影画像データ２１をメモリ２０から読み出し、撮影画像データ２１に含まれている顔情報を抽出する。また、メモリ２０に格納されている識別情報２２を取得する。そして、撮影画像データ２１に含まれている顔情報（つまり、顔検出部１１で検出された顔）と識別情報２２とを比較し、撮影画像データ２１に含まれている顔情報が識別情報２２と一致する場合、顔判定部１２は、撮影画像データ２１に含まれている顔情報が識別情報２２に含まれていると判定することができる。顔判定部１２は、撮影画像データ２１に含まれている顔情報と識別情報２２との類似度が所定の閾値以上である場合、撮影画像データ２１に含まれている顔情報が識別情報２２に含まれていると判定してもよい。
【００２２】
ここで識別情報２２は、特定の人物の顔情報であり、カメラ部５で撮影された撮影画像データ２１に当該特定の人物の顔が含まれていたとしても、プライバシーの問題が生じない人物の顔情報である。例えば、携帯端末装置１の所有者が人物Ａであり、人物Ａの友人が人物Ｂであるとする。この場合は、携帯端末装置１に人物Ａと人物Ｂの顔情報（顔画像データ）を識別情報２２として予めメモリ２０に格納しておく。
【００２３】
画像処理部１３は、顔検出部１１で検出された顔が識別情報２２に含まれていないと顔判定部１２で判定された場合、撮影画像データ２１に含まれている顔のうち識別情報２２に含まれていない顔に個人の特定を困難とする画像処理を施す。そして、撮影画像データ２１に画像処理を施した画像データを処理済み画像データ２３としてメモリ２０に格納する。ここで、個人の特定を困難とする画像処理は、例えば識別情報２２に含まれていない顔の領域をマスクする処理（モザイク処理やぼかし処理等）である。また、例えば識別情報２２に含まれていない顔の領域を含まないようにトリミングを行う処理であってもよい。これらの処理についてはユーザが選択することができる。
【００２４】
なお、これらの画像処理は一例であり、識別情報２２に含まれていない顔に施す処理は、個人の特定を困難とする画像処理であればどのような画像処理であってもよい。また、例えば集合写真のように多数の顔が一つの撮影画像データに含まれている場合は、ユーザの操作負荷を軽減するために、デフォルトの画像処理の内容を予め設定するように構成してもよい。
【００２５】
画像処理部１３は、撮影画像データ２１に含まれている顔のうち識別情報２２に含まれていない顔の全てに画像処理を施した後、画像処理を施した画像データを処理済み画像データ２３としてメモリ２０に格納する。ここで、処理済み画像データ２３は、既に画像処理を行っているのでプライバシーの問題は生じない。よって、処理済み画像データ２３にはアクセス制限を設定しなくてもよく、ユーザは処理済み画像データ２３を任意の方法で利用することができる。例えば、ユーザは処理済み画像データ２３を通信部６を介して他の携帯端末装置に送信したり、携帯端末装置１に設けられている外部インタフェース（不図示）を介して他の電子機器に処理済み画像データ２３を移動したり印刷したりすることができる。
【００２６】
メモリ２０には、撮影画像データ２１、識別情報２２、および処理済み画像データ２３が格納されている。撮影画像データ２１は、カメラ部５で撮影することで得られた画像データである。上述したように、顔検出部１１において撮影画像データ８に顔が含まれていると判定された場合は、撮影画像データ２１にアクセス制限が設定される。一方、顔検出部１１において撮影画像データ８に顔が含まれていないと判定された場合は、撮影画像データ２１にアクセス制限が設定されない。
【００２７】
識別情報２２は、特定の人物の顔情報である。携帯端末装置１は、通信部６や外部インタフェース（不図示）を介して取得した識別情報２２をメモリ２０に登録してもよく、またカメラ部１０で撮影した撮影画像データ８を識別情報２２として登録してもよい。
【００２８】
処理済み画像データ２３は、画像処理部１３において処理された後の画像データである。上述したように、処理済み画像データ２３は、既に画像処理を行っているのでプライバシーの問題は生じない。よって、処理済み画像データ２３にはアクセス制限を設定しなくてもよく、ユーザは処理済み画像データ２３を任意の方法で利用することができる。
【００２９】
例えば、メモリ２０に撮影画像データ２１および処理済み画像データ２３を格納する際は、アクセス制限の有無によって保存するフォルダを分けてもよい。具体的には、アクセス制限が設定されていない撮影画像データ２１、および処理済み画像データ２３については、アクセス制限が設定されていないフォルダに格納し、アクセス制限が設定されている撮影画像データ２１については、アクセス制限が設定されているフォルダに格納するようにしてもよい。
【００３０】
次に、本実施の形態にかかる携帯端末装置１の動作について、図２、３に示すフローチャート、および図４〜６に示す画像データを用いて説明する。以下では、人物Ａと人物Ｂの識別情報２２が予めメモリ２０に格納されているものとする。
【００３１】
図２のフローチャートに示すように、カメラ部５を用いて撮影対象となる被写体を撮影する（ステップＳ１）。カメラ部５は、撮影された被写体の撮影画像データ８を生成し、生成された撮影画像データ８を演算部１０に出力する。図４は、このときの撮影画像データ８を示しており（撮影画像データ８とメモリ２０に保存されている撮影画像データ２１は同一である。）、撮影画像データには人物Ａ、人物Ｂ、人物Ｃ、人物Ｄの４人と背景が写っている。
【００３２】
演算部１０の顔検出部１１は、カメラ部５で撮影された撮影画像データ８に含まれている顔を検出する（ステップＳ２）。例えば、顔検出部１１は、撮影画像データ８に、人物の顔の特徴部分（目、鼻、口等）が含まれているか否かを判定することで、人物の顔を検出することができる。本実施の形態では、顔検出部１１は、個人を特定できる程度の顔情報が撮影画像データ８に含まれているか否かを判定することができる。
【００３３】
顔検出部１１は、撮影画像データ８に顔が含まれている場合、つまり、個人を特定できる程度の顔情報が撮影画像データ８に含まれている場合（ステップＳ３：Ｙｅｓ）、撮影画像データ８にアクセス制限を設定する（ステップＳ４）。そして、アクセス制限を設定した後の撮影画像データ８をメモリ２０に格納する（ステップＳ５）。例えば、図４に示す撮影画像データには人物Ａ、人物Ｂ、人物Ｃ、人物Ｄの顔が写っているので、プライバシーの問題が生じる。よって、撮影画像データに写っている個人のプライバシーを保護するために、撮影画像データには所定のアクセス制限が設定される。
【００３４】
一方、顔検出部１１は、撮影画像データ８に顔が含まれていない場合、つまり、個人を特定できる程度の顔情報が撮影画像データ８に含まれていない場合（ステップＳ３：Ｎｏ）、撮影画像データ８にアクセス制限を設定することなく、撮影画像データ８をメモリ２０に格納する（ステップＳ５）。つまりこの場合は、メモリ２０に格納されている撮影画像データ２１には顔が含まれていないので、プライバシーの問題は生じない。よって、ユーザは撮影画像データ２１を制限なく利用することができる。
【００３５】
次に、図３に示すフローチャートを用いて画像処理について説明する。図２のステップＳ３において撮影画像データ８に顔が含まれていると判定された場合は撮影画像データ８に画像処理を施す必要がある。
【００３６】
まず、演算部１０の顔判定部１２は、顔が含まれている撮影画像データ２１をメモリ２０から読み出し、撮影画像データ２１に含まれている顔情報を抽出する（ステップＳ１１）。また、メモリ２０に格納されている識別情報２２を取得する。そして、撮影画像データ２１に含まれている顔情報（つまり、顔検出部１１で検出された顔）と識別情報２２とを比較することで、顔判定処理を実施する（ステップＳ１２）。
【００３７】
そして、顔判定部１２において撮影画像データ２１に含まれている顔情報が識別情報２２に含まれていないと判定された場合（ステップＳ１３：Ｎｏ）、画像処理部１３は撮影画像データ２１に画像処理を行う（ステップＳ１４）。一方、顔判定部１２において撮影画像データ２１に含まれている顔情報が識別情報２２に含まれていると判定された場合（ステップＳ１３：Ｙｅｓ）、画像処理部１３は撮影画像データ２１に画像処理を行わない。
【００３８】
その後、撮影画像データ２１に含まれている顔情報の中に、顔判定部１２において未判定である顔情報がある場合は（ステップＳ１５：Ｙｅｓ）、ステップＳ１１以降の処理を繰り返す。そして、撮影画像データ２１に含まれている顔情報の全ての顔判定処理が終了した後（ステップＳ１５：Ｎｏ）、画像処理部１３は、画像処理後の画像データを処理済み画像データ２３としてメモリ２０に格納する。
【００３９】
以下で、図４〜図６を用いて本実施の形態にかかる携帯端末装置１の動作について具体的に説明する。まず、演算部１０の顔判定部１２は、図４に示す撮影画像データ２１をメモリ２０から読み出し、撮影画像データ２１に含まれている人物Ａの顔情報を抽出する（ステップＳ１１）。また、メモリ２０に格納されている人物Ａと人物Ｂの識別情報２２を取得する。そして、撮影画像データ２１に含まれている人物Ａの顔情報が、識別情報２２（つまり、人物Ａおよび人物Ｂの顔情報）に含まれているか否かを判定する（ステップＳ１２）。この場合は、人物Ａの顔情報が識別情報２２に含まれているので（ステップＳ１３：Ｙｅｓ）、画像処理部１３は人物Ａの顔に画像処理を行わない。
【００４０】
この時点では、撮影画像データ２１に未判定の顔が含まれているので、ステップＳ１１以降の動作を繰り返す。つまり、顔判定部１２は、撮影画像データ２１に含まれている人物Ｂの顔情報を抽出する（ステップＳ１１）。また、メモリ２０に格納されている人物Ａと人物Ｂの識別情報２２を取得する。そして、撮影画像データ２１に含まれている人物Ｂの顔情報が、識別情報２２に含まれているか否かを判定する（ステップＳ１２）。この場合は、人物Ｂの顔情報が識別情報２２に含まれているので（ステップＳ１３：Ｙｅｓ）、画像処理部１３は人物Ｂの顔に画像処理を行わない。
【００４１】
この時点では、撮影画像データ２１に未判定の顔が含まれているので（ステップＳ１５：Ｙｅｓ）、ステップＳ１１以降の動作を再度繰り返す。つまり、顔判定部１２は、撮影画像データ２１に含まれている人物Ｃの顔情報を抽出する（ステップＳ１１）。また、メモリ２０に格納されている人物Ａと人物Ｂの識別情報２２を取得する。そして、撮影画像データ２１に含まれている人物Ｃの顔情報が、識別情報２２に含まれているか否かを判定する（ステップＳ１２）。この場合は、人物Ｃの顔情報が識別情報２２に含まれていないので（ステップＳ１３：Ｎｏ）、画像処理部１３は人物Ｃの顔に画像処理を行う（ステップＳ１４）。例えば、画像処理部１３は、図５に示すように人物Ｃの顔領域にマスク処理３１を行う。このような画像処理により、人物Ｃが特定されないようにすることができる。
【００４２】
この時点では、撮影画像データ２１に未判定の顔が含まれているので（ステップＳ１５：Ｙｅｓ）、ステップＳ１１以降の動作を再度繰り返す。つまり、顔判定部１２は、撮影画像データ２１に含まれている人物Ｄの顔情報を抽出する（ステップＳ１１）。また、メモリ２０に格納されている人物Ａと人物Ｂの識別情報２２を取得する。そして、撮影画像データ２１に含まれている人物Ｄの顔情報が、識別情報２２に含まれているか否かを判定する（ステップＳ１２）。この場合は、人物Ｄの顔情報が識別情報２２に含まれていないので（ステップＳ１３：Ｎｏ）、画像処理部１３は人物Ｄの顔に画像処理を行う（ステップＳ１４）。例えば、画像処理部１３は、図５に示すように人物Ｄの顔領域にマスク処理３２を行う。このような画像処理により、人物Ｄが特定されないようにすることができる。
【００４３】
この時点において、撮影画像データ２１に含まれている人物Ａ〜Ｄの顔情報の全てについて顔判定処理が終了したので（ステップＳ１５：Ｎｏ）、画像処理部１３は、画像処理後の画像データ（図５）を処理済み画像データ２３としてメモリ２０に格納する。
【００４４】
なお、図５では画像処理部１３において人物Ｃ、Ｄの顔領域にマスク処理３１、３２を実施した場合を例として説明したが、画像処理部１３は、図６の処理済み画像データ２３'に示すように、人物Ｃ、Ｄの顔が含まれないようにトリミング処理を行なってもよい。画像処理部１３における画像処理は、個人の特定を困難とする画像処理であればどのような処理であってもよい。画像処理部１３における画像処理の内容は、ユーザが適宜選択することができる。
【００４５】
メモリ２０に格納された処理済み画像データ２３は、既に画像処理を行っているのでプライバシーの問題は生じない。よって、処理済み画像データ２３にはアクセス制限を設定しなくてもよく、ユーザ（例えば、人物Ａ）は処理済み画像データ２３を任意の方法で利用することができる。例えば、ユーザは処理済み画像データ２３を通信部６を介して他の携帯端末装置に送信したり、携帯端末装置１に設けられている外部インタフェース（不図示）を介して他の電子機器に処理済み画像データ２３を移動したり印刷したりすることができる。
【００４６】
背景技術で説明したように、携帯端末装置を所持するユーザがカメラ部で写真を撮影した場合、撮影した画像に意図しない人物が写っている場合がある。このような場合、例えばユーザが、撮影した画像をウェブ等にアップロードすると、意図しない人物のプライバシーの問題が発生するおそれがあった。
【００４７】
図４を用いて具体的に説明すると、例えば友人同士である人物Ａと人物Ｂが一緒に写真を撮った際に、他人である人物Ｃと人物Ｄが意図せず写真に写ってしまう場合がある。このような場合、人物Ｃと人物Ｄの意思を反映させることなく、人物Ａが図４に示す写真をウェブ等にアップロードすると、人物Ｃと人物Ｄのプライバシーが侵害されるおそれがあった。
【００４８】
そこで本実施の形態にかかる携帯端末装置１では、プライバシーの問題が生じない人物の顔情報である識別情報を予め登録し、カメラ部で撮影された撮影画像データに顔が含まれている場合は、撮影画像データに含まれている顔が識別情報に含まれているかを判定している。そして、撮影画像データに含まれている顔が識別情報に含まれていない場合は、撮影画像データに含まれている顔に、個人の特定を困難とする画像処理を施している。よって、カメラ部で撮影された人物のプライバシーを保護することができる。
【００４９】
また、本実施の形態にかかる携帯端末装置１では、カメラ部で撮影された撮影画像データに顔が含まれている場合、撮影画像データにアクセス制限を設定している。例えば、撮影画像データを携帯端末装置１の外部で使用することができないようにしている。よって、意図しない人物を含む撮影画像データが広まることを抑制することができ、この人物のプライバシーを保護することができる。
【００５０】
なお、上記で説明した処理は、当該処理内容を実行するためのプログラムを携帯端末装置１において実行することで実施することができる。
【００５１】
以上で説明した本実施の形態にかかる発明により、カメラ部で撮影された人物のプライバシーを保護することが可能な携帯端末装置、携帯端末装置の制御方法、及びプログラムを提供することができる。
【００５２】
＜実施の形態２＞
次に本発明の実施の形態２について説明する。図７は、本実施の形態にかかる携帯端末システムを示すブロック図である。本実施の形態にかかる携帯端末システムは、携帯端末装置１と携帯端末装置２とを備える。本実施の形態にかかる携帯端末システムでは、実施の形態１で説明した携帯端末装置１のメモリ２０に格納されている識別情報２２を、他の携帯端末装置２から取得することができる点が異なる。これ以外については、実施の形態１で説明した携帯端末装置と同様であるので、同一の構成要件には同一の符号を付し、重複した説明は省略する。
【００５３】
携帯端末装置２は、演算部４１、メモリ４２、および通信部４４を少なくとも備える。携帯端末装置２は、携帯端末装置１と通信をすることができる端末であればどのような端末であってもよい。携帯端末装置２は、例えば、スマートフォン、タブレット型の携帯端末装置、携帯電話、ゲーム機、電子書籍端末などである。また、携帯端末装置２自体もカメラ機能を備えていてもよい。携帯端末装置２はデジタルカメラであってもよい。
【００５４】
演算部４１は、携帯端末装置２における各種処理を実行する。メモリ４２は、携帯端末装置２における各種処理を実行するために必要なプログラムやデータを格納する。また、メモリ４２は、識別情報４３を格納している。識別情報４３は、特定の人物の顔情報である。携帯端末装置２は、通信部４４や外部インタフェース（不図示）を介して識別情報４３を取得することができる。また、携帯端末装置２がカメラ機能を備えている場合、カメラ部で撮影した撮影画像データを識別情報４３として登録してもよい。
【００５５】
通信部４４は、他の携帯端末装置と無線通信を実施する。本実施の形態では、通信部４４は携帯端末装置１の通信部６と無線通信を行う。つまり、本実施の形態では、携帯端末装置２のメモリ４３に格納されている識別情報４３を、通信部４４および通信部６を介して、携帯端末装置１のメモリ２０に追加することができる。通信部４４および通信部６は、例えばＷＬＡＮ（Wireless LAN）、Ｂｌｕｅｔｏｏｔｈ（登録商標）、赤外線通信などを用いて通信することができる。また、通信部４４および通信部６は３Ｇ（第３世代移動通信システム）などの広域通信を用いて通信してもよい。
【００５６】
次に、本実施の形態にかかる携帯端末システムの動作について説明する。まず、図８に示すフローチャートを用いて、携帯端末装置２から携帯端末装置１に識別情報４３を登録する場合の動作について説明する。
【００５７】
携帯端末装置１は通信機能を利用して、周辺にある携帯端末装置をサーチする（ステップＳ２１）。周辺に携帯端末装置２がある場合（ステップＳ２２：Ｙｅｓ）、携帯端末装置１は携帯端末装置２に識別情報の提供を要求する（ステップＳ２３）。例えば、ユーザは、ＭＡＣ（Media Access Control）アドレスや端末名を利用して、周辺にある携帯端末装置の中から識別情報を取得したい携帯端末装置を特定することができる。一方、周辺に他の携帯端末装置がない場合は（ステップＳ２２：Ｎｏ）、識別情報を取得する処理を終了する。
【００５８】
携帯端末装置１による識別情報の要求を携帯端末装置２のユーザが許可すると（ステップＳ２４：Ｙｅｓ）、携帯端末装置２は携帯端末装置１に識別情報４３を送信する。携帯端末装置１は携帯端末装置２から送信された識別情報４３を受信する（ステップＳ２５）。そして、携帯端末装置１は受信した識別情報４３をメモリ２０に格納する（ステップＳ２６）。一方、携帯端末装置１による識別情報の要求を携帯端末装置２のユーザが許可しない場合（ステップＳ２４：Ｎｏ）、識別情報を取得する処理は終了する。
【００５９】
識別情報の要求に対して携帯端末装置２のユーザが許可／不許可を判断する際は、例えば「Ｙｅｓ」、「Ｎｏ」を選択させるのではなく、要求元である携帯端末装置１の表示部に表示されたパスワードを携帯端末装置２に入力するようにすることで、誤操作を防ぐことができる。また、例えば生体認証を利用して本人確認を行うことで、携帯端末装置２の所有者本人のみが許可することができるようにすることができる。
【００６０】
その後、携帯端末装置１は、図３で説明した処理を実施することで、携帯端末装置２から取得した識別情報４３を反映した処理済み画像データを生成することができる。すなわち、携帯端末装置１の顔判定部１２は、メモリ２０に格納されている撮影画像データ２１（図４参照）を読み出し、撮影画像データ２１に含まれている人物Ａの顔情報を抽出する（ステップＳ１１）。また、メモリ２０に格納されている人物Ａ、人物Ｂ、および人物Ｃの識別情報２２を取得する。そして、撮影画像データ２１に含まれている人物Ａの顔情報が、識別情報２２（つまり、人物Ａ、人物Ｂ、および人物Ｃの顔情報）に含まれているか否かを判定する（ステップＳ１２）。この場合は、人物Ａの顔情報が識別情報２２に含まれているので（ステップＳ１３：Ｙｅｓ）、画像処理部１３は人物Ａの顔に画像処理を行わない。
【００６１】
この時点では、撮影画像データ２１に未判定の顔が含まれているので（ステップＳ１５：Ｙｅｓ）、ステップＳ１１以降の動作を繰り返す。つまり、顔判定部１２は、撮影画像データ２１に含まれている人物Ｂの顔情報を抽出する（ステップＳ１１）。また、メモリ２０に格納されている人物Ａ、人物Ｂ、および人物Ｃの識別情報２２を取得する。そして、撮影画像データ２１に含まれている人物Ｂの顔情報が、識別情報２２に含まれているか否かを判定する（ステップＳ１２）。この場合は、人物Ｂの顔情報が識別情報２２に含まれているので（ステップＳ１３：Ｙｅｓ）、画像処理部１３は人物Ｂの顔に画像処理を行わない。
【００６２】
この時点では、撮影画像データ２１に未判定の顔が含まれているので（ステップＳ１５：Ｙｅｓ）、ステップＳ１１以降の動作を再度繰り返す。つまり、顔判定部１２は、撮影画像データ２１に含まれている人物Ｃの顔情報を抽出する（ステップＳ１１）。また、メモリ２０に格納されている人物Ａ、人物Ｂ、および人物Ｃの識別情報２２を取得する。そして、撮影画像データ２１に含まれている人物Ｃの顔情報が、識別情報２２に含まれているか否かを判定する（ステップＳ１２）。この場合は、人物Ｃの顔情報が識別情報２２に含まれているので（ステップＳ１３：Ｙｅｓ）、画像処理部１３は人物Ｃの顔に画像処理を行わない。
【００６３】
この時点では、撮影画像データ２１に未判定の顔が含まれているので（ステップＳ１５：Ｙｅｓ）、ステップＳ１１以降の動作を再度繰り返す。つまり、顔判定部１２は、撮影画像データ２１に含まれている人物Ｄの顔情報を抽出する（ステップＳ１１）。また、メモリ２０に格納されている人物Ａ、人物Ｂ、および人物Ｃの識別情報２２を取得する。そして、撮影画像データ２１に含まれている人物Ｄの顔情報が、識別情報２２に含まれているか否かを判定する（ステップＳ１２）。この場合は、人物Ｄの顔情報が識別情報２２に含まれていないので（ステップＳ１３：Ｎｏ）、画像処理部１３は人物Ｄの顔に画像処理を行う（ステップＳ１４）。例えば、図９に示すように、画像処理部１３は人物Ｄの顔領域にマスク処理３３を行う。このような画像処理により人物Ｄが特定されないようにすることができる。
【００６４】
この時点において、撮影画像データ２１に含まれている人物Ａ〜Ｄの顔情報の全てについて顔判定処理が終了したので（ステップＳ１５：Ｎｏ）、画像処理部１３は、画像処理後の画像データ（図９参照）を処理済み画像データ２３としてメモリ２０に格納する。
【００６５】
なお、図９では画像処理部１３において人物Ｄの顔領域にマスク処理を実施した場合を例として説明したが、画像処理部１３は、図１０の処理済み画像データ２３'に示すように、人物Ｄの顔が含まれないようにトリミング処理を行なってもよい。画像処理部１３における画像処理の内容は、ユーザが適宜選択することができる。
【００６６】
以上で説明した処理により、携帯端末装置１は、携帯端末装置２から取得した識別情報４３（人物Ｃ）を反映した処理済み画像データ２３を生成することができる。
【００６７】
メモリ２０に格納された処理済み画像データ２３は、既に画像処理を行っているのでプライバシーの問題は生じない。よって、処理済み画像データ２３にはアクセス制限を設定しなくてもよく、ユーザ（例えば、人物Ａ）は処理済み画像データ２３を任意の方法で利用することができる。例えば、ユーザは処理済み画像データ２３を通信部６を介して他の携帯端末装置に送信したり、携帯端末装置１に設けられている外部インタフェース（不図示）を介して他の電子機器に処理済み画像データ２３を移動したり印刷したりすることができる。
【００６８】
図１１は、識別情報の一例を示す図である。識別情報は、登録ＩＤ、登録日時、有効期限開始日、有効期限終了日、氏名データ長、氏名データ、顔識別情報データ長、顔識別情報データ、およびレコード終端の情報を有する。そして、例えば携帯端末装置２から携帯端末装置１に送信される識別情報４３に有効期限（有効期限開始日、有効期限終了日）を設定することで、所定の期間を経過した識別情報４３を無効とすることができる。これにより、特定の期間に撮影された撮影画像データ２１に対してのみ、携帯端末装置２の識別情報４３を反映することができる。例えば、携帯端末装置１は、撮影画像データ２１のＥｘｉｆ（Exchangeable Image File Format）情報と識別情報４３とを照合することで、特定の期間に撮影された撮影画像データ２１に対してのみ、携帯端末装置２の識別情報４３を反映することができる。
【００６９】
なお、上記で説明した処理は、当該処理内容を実行するためのプログラムを携帯端末装置１および携帯端末装置２において実行することで実施することができる。
【００７０】
以上で説明した本実施の形態にかかる携帯端末システムにより、カメラ部で撮影された人物のプライバシーを保護することが可能となる。特に本実施の形態にかかる携帯端末システムでは、携帯端末装置２が備える識別情報を、携帯端末装置２のユーザの許可を得たうえで携帯端末装置１に容易に追加することができる。よって、カメラ部で撮影された人物のプライバシーを保護しつつ、撮影画像データに含まれる人物を画像処理対象から容易に除外することができ、携帯端末装置の利便性を向上させることができる。
【００７１】
例えば、旅先で人物Ａと人物Ｃとが偶然出会い、人物Ａの携帯端末装置１で撮影した写真に人物Ｃが写ったとする。この場合、人物Ｃの携帯端末装置２から人物Ａの携帯端末装置１に識別情報を送信することで、携帯端末装置１で撮影した撮影画像データに含まれる人物Ｃを画像処理対象から除外することができる。よって旅先で人物Ａが人物Ｃと出合ったことを写真に残すことができる。また、識別情報を交換し合うことで新しいコミュニティが形成される。
【００７２】
なお、本発明は上記実施の形態に限られたものではなく、趣旨を逸脱しない範囲で適宜変更することが可能である。例えば、上記では人物を特定する際に顔情報を用いているが、顔情報に加えて服装や体形等の情報を組み合わせて用いてもよい。このように、複数の情報を用いることで人物特定の精度を向上させることができる。
【００７３】
以上、本発明を上記実施の形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
【符号の説明】
【００７４】
１、２  携帯端末装置
５  カメラ部
６  通信部
８  撮影画像データ
１０  演算部
１１  顔検出部
１２  顔判定部
１３  画像処理部
２０  メモリ
２１  撮影画像データ
２２  識別情報
２３  処理済み画像データ
３１、３２、３３  マスク処理
４１  演算部
４２  メモリ
４３  識別情報
４４  通信部
【図１】
2014082695.tif 000003
【図２】
2014082695.tif 000004
【図３】
2014082695.tif 000005
【図４】
2014082695.tif 000006
【図５】
2014082695.tif 000007
【図６】
2014082695.tif 000008
【図７】
2014082695.tif 000009
【図８】
2014082695.tif 000010
【図９】
2014082695.tif 000011
【図１０】
2014082695.tif 000012
【図１１】
2014082695.tif 000013